(57)【要約】      （修正有）【課題】室内空間に浮遊する粉塵粒子が徐々に降下・沈降し床面にホコリが堆積し始める前に、粉塵粒子を集塵する空気清浄運転を行うことで、床面へのホコリ堆積を低減することができる空気清浄機を提供する。【解決手段】吹出口２と吸込口３を有する箱形状の本体ケースと、吸込口３に設けられた空気清浄手段である清浄フィルタ４と、この清浄フィルタ４と吹出口２との間に設けた送風手段６とからなり、送風手段６によって、吸込口３から清浄フィルタ４を介して本体ケースに吸込まれた空気は、本体ケースの上部に設けた吹出口２から、本体ケースにおける前面側へ吹き出され、吸込口３は、本体ケースにおける左右側面下部に設けたので、床面へのホコリ堆積を低減することができるのである。【選択図】図２
2015021703.tif 000002
【特許請求の範囲】
【請求項１】
吹出口と吸込口を有する箱形状の本体ケースと、前記吸込口に設けられた空気清浄手段と、この空気清浄手段と前記吹出口との間に設けた送風手段とからなり、前記送風手段によって、前記吸込口から前記空気清浄手段を介して前記本体ケースに吸込まれた空気は、前記本体ケースの上部に設けた前記吹出口から、前記本体ケースにおける前面側へ吹き出され、前記吸込口は、前記本体ケースにおける左右側面で、前記吹出口より下部に設けたことを特徴とする空気清浄機。
【請求項２】
前記吸込口は、環形状で、前記吸込口の一部は、前記本体ケースにおける左右側面の縁で前記本体ケースにおける前面側に設けたことを特徴とする請求項１記載の空気清浄機。
【請求項３】
前記吹出口から吹き出された空気は、上下方向の広がりよりも左右方向の広がりが大きいことを特徴とする請求項１または２に記載の空気清浄機。
【請求項４】
前記本体ケースは、軸方向が天面から上方へ伸びると共に天面が閉塞した筒部を備え、前記筒部の側周面の前記本体ケースにおける前面側には、前記吹出口である第１の吹出開口を備えたことを特徴とする請求項１から３のいずれかに記載の空気清浄機。
【請求項５】
前記筒部は、円筒形状であることを特徴とする請求項４に記載の空気清浄機。
【請求項６】
前記筒部は、天面に前記吹出口である第２の吹出開口を備え、この第２の吹出開口には、平板形状で仰角方向に傾斜したルーバー部を備えたことを特徴とする請求項４または５に記載の空気清浄機。
【発明の詳細な説明】
【技術分野】
【０００１】
本発明は、空気を浄化することのできる空気清浄機に関するものである。
【背景技術】
【０００２】
従来、この種の空気清浄機としては、本体前面に人検知センサを設け、この人検知センサによって人の検知回数が多いと、運転風量を大きくすることで、その空気清浄能力を高めるものが知られている。（例えば、特許文献１参照）
【先行技術文献】
【特許文献】
【０００３】
【特許文献１】特開平１−１６３５４６号公報
【発明の概要】
【発明が解決しようとする課題】
【０００４】
上記従来例の課題は、室内から人が居なくなると床面へのホコリ堆積が多くなるということである。
【０００５】
すなわち、室内から人が居なくなると、人の活動による気流や空気清浄機運転による気流により、室内空間に浮遊していた粉塵粒子が、気流が無くなったことで徐々に降下・沈降し、床面にホコリとして堆積してしまうのである。
【０００６】
そこで、本発明は、床面へのホコリ堆積を低減することを目的とする。
【課題を解決するための手段】
【０００７】
そして、この目的を達成するために、本発明は、吹出口と吸込口を有する箱形状の本体ケースと、前記吸込口に設けられた空気清浄手段と、この空気清浄手段と前記吹出口との間に設けた送風手段とからなり、前記送風手段によって、前記吸込口から前記空気清浄手段を介して前記本体ケースに吸込まれた空気は、前記本体ケースの上部に設けた前記吹出口から、前記本体ケースにおける前面側へ吹き出され、前記吸込口は、前記本体ケースにおける左右側面で、前記吹出口より下部に設けたことを特徴としたものである。
【０００８】
これにより、所期の目的を達成するものである。
【発明の効果】
【０００９】
以上のように本発明は、吹出口と吸込口を有する箱形状の本体ケースと、前記吸込口に設けられた空気清浄手段と、この空気清浄手段と前記吹出口との間に設けた送風手段とからなり、前記送風手段によって、前記吸込口から前記空気清浄手段を介して前記本体ケースに吸込まれた空気は、前記本体ケースの上部に設けた前記吹出口から、前記本体ケースにおける前面側へ吹き出され、前記吸込口は、前記本体ケースにおける左右側面で、前記吹出口より下部に設けたことを特徴としたものである。
【００１０】
すなわち、本体ケースにおける前面側へ吹き出されるので、床上での本体の吸気口へ流れ込む気流の垂直方向の高さを小さくできるので、床上での吸気口へ流れ込む気流の風速を増加させることができる。更に、本体ケースを部屋の壁近くに置いた場合に、吸込口は、本体ケースにおける左右側面で、吹出口より下部に設けたので、部屋の壁に沿って左右側面側へ流れる気流を捕集できる。結果として、床面へのホコリ堆積を低減することができる。
【図面の簡単な説明】
【００１１】
【図１】本発明の実施の形態１の空気清浄機の外形を示す斜視図
【図２】同空気清浄機の正面から見た清浄風路全閉時の断面図
【図３】同空気清浄機の風量割合調節手段の斜視図
【図４】同空気清浄機の側面から見た清浄風路全開時の垂直断面図
【図５】同空気清浄機の上から見た清浄風路全開時の水平断面図
【図６】同空気清浄機の側面から見た清浄風路全閉時の垂直断面図
【図７】同空気清浄機の上から見た清浄風路全閉時の水平断面図
【図８】同空気清浄機を吹出口のルーバー部が開いた状態を示す斜視図
【図９】同空気清浄機の吹出口のルーバー部が閉じた状態を示す斜視図
【発明を実施するための形態】
【００１２】
以下、本発明の実施の形態について図面を参照しながら説明する。
【００１３】
（実施の形態１）
図１から図３に示すように、本実施形態の加湿空気清浄機は、吹出口２と吸込口３を有する本体ケース１と、この本体ケース１内に、清浄フィルタ４と、加湿手段５と、送風手段６と、風量割合調節手段７とを備えている。
【００１４】
本体ケース１は、縦長箱形状で、天面には、吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１５】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１６】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１７】
送風手段６は、第１の吸込口８より上方で、加湿手段５と吹出口２との間に設けている。送風手段６としては、ターボファン、軸流送風機等などがある。送風手段６は、モータ部２３と、羽根部２４とからなる。モータ部２３は、モータ部２３の下面から鉛直下方に伸びたモータ軸２５を備えている。このモータ軸２５に羽根部２４が固定されている。羽根部２４が、モータ部２３によって回転すると、羽根部２４の下方の空気を、羽根部２４の上方へ送風できる。
【００１８】
図４に示すように、送風手段６によって送風される風路は、清浄風路１１と加湿清浄風路１２とがある。
【００１９】
清浄風路１１は、送風手段６によって、第１の吸込口８から吸い込まれた空気が、清浄フィルタ４を介して吹出口２へ送風される風路である。加湿清浄風路１２は、送風手段６によって、第２の吸込口９から吸い込まれた空気が、清浄フィルタ４、加湿手段５を介して吹出口へ送風される風路である。すなわち、送風手段６によって、清浄風路１１と加湿清浄風路１２との両方の風路から送風される。
【００２０】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２１】
これにより、風量割合調節手段７は、清浄風路１１の風量と加湿清浄風路１２の風量との割合を調節できるので、加湿清浄風量だけを増加させることができる。結果として、加湿効率が向上する。
【００２２】
具体的には、風量割合調節手段７は、本体ケース１内に回動自在に設けられた円筒１３と、この円筒１３の側周面と接する遮蔽部１４と、円筒を回動する円筒回転手段とからなる。
【００２３】
図３に示すように、円筒１３は、上下方向が軸方向で側周面に少なくとも１つの側面開口１６を備えている。
【００２４】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２５】
遮蔽部１４は、本体ケース１内における、本体ケース１前面側と背面側とが、内方に突出し、先端が、円筒１３の外周の側周面に沿う形状である。
【００２６】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２７】
以上の構成で、図４から図７に示すように、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００２８】
本実施形態における特徴は、本体ケース１の上部に設けた吹出口２から、本体ケース１における前面側へ吹き出され、吸込口３は、本体ケース１における左右側面で、吹出口２より下部に設けた点である。
【００２９】
すなわち、本体ケース１における前面側へ吹き出されるので、床上での本体ケース１の吸込口３へ流れ込む気流の垂直方向の高さを小さくできるので、床上での吸込口３へ流れ込む気流の風速を増加させることができる。
【００３０】
更に、本体ケース１を部屋の壁近くに置いた場合に、吸込口３は、本体ケース１における左右側面で、吹出口２より下部に設けたので、部屋の壁に沿って左右側面側へ流れる気流を捕集できる。結果として、床面へのホコリ堆積を低減することができる。
【００３１】
また、吸込口３は、環形状で、吸込口３の一部は、本体ケース１における左右側面の縁で本体ケース１における前面側に設けたものである。
【００３２】
具体的には、本体ケース１における左右側面には、縦長四角形状のパネル２６を備え、このパネル２６と本体ケース１における左右側面周縁部との間に隙間を有するものである。この隙間が、吸込口３である。吸込口３は、ロの字形状で、本体ケース１左右側面の本体ケース１における前面側周縁部の第１の開口部２７、底面側周縁部の第２の開口部２８、背面側周縁部の第３の開口部２９とからなる。なお、パネル２６は、清浄フィルタ４より高さが大きいので、パネル２６の周縁部の長さは、清浄フィルタ４の周縁部の長さより長いものである。第１の開口部２７と第３の開口部２９は、上下方向に伸びた隙間で、上下方向の長さは、本体ケース１の側面の高さと実質的に同じである。第２の開口部２８は、水平方向に伸びた隙間で、水平方向の長さは、本体ケース１の側面の幅と実質的に同じである。
【００３３】
これにより、清浄フィルタ４露出によるデザイン性の低下を防ぎ、吸込口３の一部である第１の開口部２７によって、床上での正面に流れる気流を捕集できる。また、第１の開口部２７と第３の開口部２９は、上下方向に伸びた隙間で、上下方向の長さは、本体ケース１の側面の高さと実質的に同じである。更に、第２の開口部２８は、水平方向に伸びた隙間で、水平方向の長さは、本体ケース１の側面の幅と実質的に同じであるので、床から上方への広範囲にわたって本体へ向かう気流を捕集できる。
【００３４】
また、吹出口２から吹き出された空気は、上下方向の広がりよりも左右方向の広がりが大きいものである。具体的には、本体ケース１は、軸方向が天面から上方へ伸びると共に天面が閉塞した筒部３１を備え、筒部３１の側周面の本体ケース１における前面側には、吹出口である第１の吹出開口３２を備えたことを特徴とするものである。
【００３５】
これにより、送風手段６より発生した気流が本体内側壁面部を螺旋状に進行し、筒部３１の側周面の吹出口２である第１の吹出開口３２へと到達することで、本体ケース１における前面側へ効率よく送風することができる。結果として、部屋の左右方向へ広範囲にわたり気流を発生させ、壁に到達後に風向を反転させた後、左右側面部に設けた吸込口３で効率よく捕集できる。
【００３６】
また、筒部３１は、円筒形状である。筒部３１の側周面の前面側、つまり筒部３１の中心より本体ケース１における前面側となる側周面が第１の吹出開口３２である。
【００３７】
これにより、モータ部２３によって、羽根部２４が回転すると、羽根部２４の下方の空気を、羽根部２４の上方へ螺旋状に送風される。この螺旋状の送風が、円筒形状の筒部３１の内面に沿って流れるので、本体ケース１における前面側へ吹き出された気流が、更に均一に左右方向への広がり、結果広範囲にわたり気流を発生させ、左右側面部に設けた吸込口で効率よく捕集できる。
【００３８】
また、図８、図９に示すように、筒部３１は、天面に吹出口２である第２の吹出開口３３を備えている。この第２の吹出開口３３には、平板形状で仰角方向に傾斜したルーバー部３４を備えたものである。これにより、本体ケース１における前面側へ吹き出される気流と斜め上方へ吹き出される気流を発生させ、前面側へ吹き出される気流は部屋の左右方向へ広範囲にわたり気流を発生させる効果、斜め上方へ吹き出される気流は一部上方の空気を攪拌させる効果と、床上での吸込口３へ流れ込む気流の風速を増加させる効果を奏する。
【産業上の利用可能性】
【００３９】
以上のように本発明は、吹出口と吸込口を有する箱形状の本体ケースと、前記吸込口に設けられた空気清浄手段と、この空気清浄手段と前記吹出口との間に設けた送風手段とからなり、前記送風手段によって、前記吸込口から前記空気清浄手段を介して前記本体ケースに吸込まれた空気は、前記本体ケースの上部に設けた前記吹出口から、前記本体ケースにおける前面側へ吹き出され、前記吸込口は、前記本体ケースにおける左右側面で、前記吹出口より下部に設けたことを特徴としたものである。
【００４０】
すなわち、本体ケースにおける前面側へ吹き出されるので、床上での本体の吸気口へ流れ込む気流の垂直方向の高さを小さくできるので、床上での吸気口へ流れ込む気流の風速を増加させることができる。更に、本体ケースを部屋の壁近くに置いた場合に、吸込口は、本体ケースにおける左右側面で、吹出口より下部に設けたので、部屋の壁に沿って左右側面側へ流れる気流を捕集できる。結果として、床面へのホコリ堆積を低減することができ、家庭用や事務所用などの空気清浄機にも適用できる。
【符号の説明】
【００４１】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      モータ部
２４      羽根部
２５      モータ軸
２６      パネル
２７      第１の開口部
２８      第２の開口部
２９      第３の開口部
３１      筒部
３２      第１の吹出開口
３３      第２の吹出開口
３４      ルーバー部
【図１】
2015021703.tif 000003
【図２】
2015021703.tif 000004
【図３】
2015021703.tif 000005
【図４】
2015021703.tif 000006
【図５】
2015021703.tif 000007
【図６】
2015021703.tif 000008
【図７】
2015021703.tif 000009
【図８】
2015021703.tif 000010
【図９】
2015021703.tif 000011